(57)【要約】【課題】燃焼装置に対してオフガスを安定供給しつつ、吸着対象成分の回収効率を高めることができる圧力変動吸着式水素製造装置およびその運転方法を提供する。【解決手段】  吸着工程において昇圧された吸着塔Ａ１の圧力を用いて、脱着工程において、オフガスを回収する減圧路Ｌ３ａを設けるとともに、減圧路Ｌ３ａに第一オフガスタンクＴ３ａを設け、吸着塔Ａ１を真空ポンプＰ４でさらに減圧吸引してオフガスを回収する真空減圧路Ｌ４を設けるとともに、真空減圧路Ｌ４に第二オフガスタンクＴ４ａを設け、真空減圧路Ｌ４における真空ポンプＰ４の上流側にバッファタンクＴ４ｂを設けるとともに、吸着塔Ａ１からバッファタンクＴ４ｂに至る流路に減圧弁Ｖ４ａを設けた。【選択図】図１
2017148715.tif 000002
【特許請求の範囲】
【請求項１】
水素成分および水素成分以外の可燃性成分を含む原料ガスから水素成分以外の吸着対象成分を吸着剤に吸着して製品ガスを生成する複数の吸着塔を設け、
前記各吸着塔において、吸着対象成分を吸着する吸着工程と、吸着対象成分を脱着して吸着塔を再生する脱着工程とを交互に行い、脱着工程において回収したオフガスを燃焼装置に供給する制御装置を設けた圧力変動吸着式水素製造装置であって、
前記吸着工程において昇圧された吸着塔の圧力を用いて、前記脱着工程において、オフガスを回収する減圧路を設けるとともに、前記減圧路に第一オフガスタンクを設け、前記吸着塔を真空ポンプでさらに減圧吸引してオフガスを回収する真空減圧路を設けるとともに、前記真空減圧路に第二オフガスタンクを設け、
前記真空減圧路における真空ポンプの上流側にバッファタンクを設けるとともに、前記吸着塔から前記バッファタンクに至る流路に開閉弁を設けた圧力変動吸着式水素製造装置。
【請求項２】
前記減圧路で回収されるオフガスを前記第一オフガスタンクをバイパスして燃焼装置に供給するバイパス路を設けてある請求項１に記載の圧力変動吸着式水素製造装置。
【請求項３】
請求項１に記載の圧力変動吸着式水素製造装置の運転方法であって、
前記各吸着塔において、吸着対象成分を吸着する吸着工程と、吸着対象成分を脱着して吸着塔を再生する脱着工程とを交互に行うにあたり、
前記脱着工程は、前記減圧路を介して前記吸着塔と前記第一オフガスタンクとの圧力差によりオフガスを前記第一オフガスタンクに回収する減圧工程と、前記真空減圧路の前記バッファタンクおよび前記真空ポンプを通じてオフガスを前記第二オフガスタンクに回収する真空減圧工程とを含む圧力変動吸着式水素製造装置の運転方法。
【請求項４】
請求項２に記載の圧力変動吸着式水素製造装置の運転方法であって、
前記各吸着塔において、吸着対象成分を吸着する吸着工程と、吸着対象成分を脱着して吸着塔を再生する脱着工程とを交互に行うにあたり、
前記脱着工程は、前記減圧路を介して前記吸着塔と前記第一オフガスタンクとの圧力差によりオフガスを前記第一オフガスタンクに回収する第一減圧工程と、前記バイパス路を介して前記吸着塔と前記燃焼装置との圧力差によりオフガスを直接燃焼装置に供給する第二減圧工程と、前記真空減圧路の前記バッファタンクおよび前記真空ポンプを通じてオフガスを前記第二オフガスタンクに回収する真空減圧工程とを含む圧力変動吸着式水素製造装置の運転方法。
【発明の詳細な説明】
【技術分野】
【０００１】
本発明は、水素成分および水素成分以外の可燃性成分を含む原料ガスから水素成分以外の吸着対象成分を吸着剤に吸着して製品ガスを生成する複数の吸着塔を設け、
前記各吸着塔において、吸着対象成分を吸着する吸着工程と、吸着対象成分を脱着して吸着塔を再生する脱着工程とを交互に行い、脱着工程において回収したオフガスを燃焼装置に供給する制御装置を設けた圧力変動吸着式水素製造装置およびその運転方法に関する。
【背景技術】
【０００２】
かかる圧力変動吸着式水素製造方法は、水素成分および水素成分以外の可燃性成分を含む原料ガスから水素成分以外の吸着対象成分を吸着剤に吸着することにより、水素濃度の高い製品ガスを製造するものであり、また、吸着塔から排出されるオフガスには、可燃性成分が含まれているため、オフガスタンクに回収したオフガスを燃焼装置に供給して燃焼させるものである。
【０００３】
すなわち、水素成分および水素成分以外の可燃性成分を含む原料ガスから水素成分以外の吸着対象成分を吸着剤に吸着して製品ガスを生成する複数の吸着塔を設け、
前記各吸着塔において、吸着対象成分を吸着する吸着工程と、吸着対象成分を脱着して吸着塔を再生する脱着工程とを交互に行い、脱着工程において回収したオフガスを燃焼装置に供給する制御装置を設けた圧力変動吸着式水素製造装置は、複数の吸着塔が、原料ガスから吸着工程および脱着工程を交互に繰り返し、原料ガス中のオフガス成分を吸着して排出する工程を、周期をずらせて順次行うことにより、ほぼつねに、いずれかの吸着塔において脱着工程が行われるように運転することが可能となるので、排出されるオフガスを燃焼装置に供給するのに適した構成となる。
【０００４】
このような圧力変動吸着式水素製造方法の従来例として、都市ガスを改質処理する改質器から供給される改質ガスを原料ガスとして製品ガスを製造し、製品ガスを燃料電池に供給し、改質器を加熱する燃焼装置にオフガスを供給するものがある（例えば、特許文献１参照）。
【０００５】
特許文献１の圧力変動吸着式水素製造方法においては、脱着工程として、脱着工程の吸着塔の内部ガスをオフガスとしてオフガスタンクに排出するブロー工程、および、均圧用排出工程の吸着塔の内部ガスを脱着工程の吸着塔を通して流動させて、オフガスとしてオフガスタンクに排出するパージ工程を順次行うようになっている。
【先行技術文献】
【特許文献】
【０００６】
【特許文献１】特開２００２−３５５５２２号公報
【発明の概要】
【発明が解決しようとする課題】
【０００７】
圧力変動吸着式水素製造方法においては、脱着工程において、脱着工程の吸着塔の吸着剤に吸着された吸着対象成分を的確に離脱させることによって、吸着対象成分の回収効率を高めることが望まれるものである。
そのための方法として、脱着工程の吸着塔に対して吸引作用する真空ポンプを設けることによって、吸着対象成分を的確に離脱させるようにする圧力変動吸着式水素製造方法が考えられるが、この方法においては、燃焼装置に対してオフガスを適切に供給できない虞があった。
【０００８】
すなわち、本願の発明者は、真空ポンプによって脱着工程の吸着塔を吸引する圧力変動吸着式水素製造方法を考えたが、単に、真空ポンプによって吸着塔を吸引するだけでは、燃焼装置に対してオフガスを適切に供給できないタイミングが発生する虞があることを見出した。
【０００９】
燃焼装置に対する上述のオフガスの供給不良は、圧力変動吸着式水素製造装置が複数の吸着塔において、それぞれ吸着対象成分を吸着する吸着工程と、吸着対象成分を脱着して吸着塔を再生する脱着工程とを交互に行い、その脱着工程におけるオフガスを供給する際、その脱着工程初期と終期とで吸着塔から脱着されるオフガス量が大きく変動することに起因し、下記のように単に吸引ポンプとオフガスタンクとを設けるだけではこの変動を安定化できないためと考えられる。
【００１０】
詳述すると、燃焼装置に対するオフガスの供給圧はほぼ大気圧とされるのに対して、吸着塔は吸着工程において昇圧されているから、脱着工程初期においては、各吸着塔から十分量のオフガスが生成し、吸着塔と燃焼装置との圧力差により効率よくオフガスを供給できる。これに対して、脱着工程終期では吸着塔内の圧力が大気圧に近づくため、オフガス生成量が少なく、かつ圧力差による燃焼装置へのオフガス供給が不十分となりやすい。そこで、減圧路に第一オフガスタンクを設けると、第一オフガスタンクによってオフガスを貯留し、第一オフガスタンクから安定的に燃焼装置に対するオフガス供給が可能になるように思われる。しかし、第一オフガスタンクにおいて有圧を維持する構成を採用すると、吸着塔の脱着工程終期における圧力も比較的高い状態にとどまることになり、脱着工程を行う主たる目的としての吸着塔の再生が十分に行えないことになる。そこで、前記吸着塔を真空ポンプでさらに減圧吸引してオフガスを回収する真空減圧路を前記減圧路と別に設けるとともに、前記真空減圧路における真空ポンプの下流側に第二オフガスタンクを設けることが考えられる。しかし、真空ポンプは、その性質上、ある程度低い低圧状態にまで減圧させられた吸着塔からは、ガスを吸引できるものの、やや高めの低圧状態に保持される吸着塔から減圧しようとする場合、大きな負荷を負うことになるため、吸引動作を安定的に行うことができず、結局のところ、前記吸着塔が十分低圧になるのを待って、真空ポンプの動作を始めなければならない事情があり、吸着塔の圧力低下を待つのに時間を要してしまうため、燃焼装置に対するオフガス供給の安定化のために真空ポンプを効率よく利用することにはならないと考えられる。
【００１１】
本発明は、上記実状に鑑みて為されたものであって、その目的は、燃焼装置に対してオフガスを安定供給しつつ、吸着対象成分の回収効率を高めることができる圧力変動吸着式水素製造装置およびその運転方法を提供する点にある。
【課題を解決するための手段】
【００１２】
〔構成1〕
上記目的を達成するための本発明の特徴構成は、
水素成分および水素成分以外の可燃性成分を含む原料ガスから水素成分以外の吸着対象成分を吸着剤に吸着して製品ガスを生成する複数の吸着塔を設け、
前記各吸着塔において、吸着対象成分を吸着する吸着工程と、吸着対象成分を脱着して吸着塔を再生する脱着工程とを交互に行い、脱着工程において回収したオフガスを燃焼装置に供給する制御装置を設けた圧力変動吸着式水素製造装置であって、
前記脱着工程において、前記吸着工程で昇圧された吸着塔の圧力を用いて、オフガスを回収する減圧路を設けるとともに、前記減圧路に第一オフガスタンクを設け、前記吸着塔を真空ポンプでさらに減圧吸引してオフガスを回収する真空減圧路を設けるとともに、前記真空減圧路に第二オフガスタンクを設け、
前記真空減圧路における真空ポンプの上流側にバッファタンクを設けるとともに、前記吸着塔から前記バッファタンクに至る流路に開閉弁を設けた点にある。
【００１３】
〔作用効果１〕
上記構成によると、前述の通り、水素成分および水素成分以外の可燃性成分を含む原料ガスから水素成分以外の吸着対象成分を吸着剤に吸着して製品ガスを生成する複数の吸着塔において、吸着対象成分を吸着する吸着工程と、吸着対象成分を脱着して吸着塔を再生する脱着工程とを交互に行い、脱着工程において回収したオフガスを燃焼装置に供給する制御装置を設けた圧力変動吸着式水素製造装置は、複数の吸着塔が、原料ガスから吸着工程および脱着工程を交互に繰り返し、原料ガス中のオフガス成分を吸着して排出する工程を、周期をずらせて順次行うことにより、ほぼ常に、いずれかの吸着塔において脱着工程が行われるように運転することが可能となるので、排出されるオフガスを燃焼装置に供給するのに適した構成となる。
【００１４】
ここで、前記吸着工程において昇圧された吸着塔の圧力を用いて、前記脱着工程において、オフガスを回収する減圧路を設けると、前記脱着工程においてオフガスが十分に排出される。しかし脱着工程において、吸着塔の圧力のみを用いて吸着塔からオフガスを排出しようとすると、脱着工程の終期においてオフガスの脱着速度が遅くなり効率よくオフガスの回収が行えない。そこで、前記吸着塔を真空ポンプでさらに減圧吸引してオフガスを回収する真空減圧路を設け、前記真空減圧路に第二オフガスタンクを設けることにより、オフガスの脱着速度が低下した場合であっても、真空ポンプにより前記吸着塔内を効率よく減圧排気し、第二オフガスタンクに回収することができる。この際、従来の技術において詳述したように、吸着塔内の圧力が十分に低下していない状態で、前記真空ポンプを作用させると、前記真空ポンプに大きな負荷がかかり吸引動作を長期的に安定して行えなくなる虞がある。
【００１５】
しかし、前記真空減圧路における真空ポンプの上流側にバッファタンクを設けるとともに、前記吸着塔から前記バッファタンクに至る流路に開閉弁を設けてあれば、開閉弁を閉じ、真空ポンプを駆動することにより、あらかじめバッファタンクを減圧しておくことができる。この状態で、ある程度圧力の低下した吸着塔を真空減圧路に接続し、前記開閉弁を開放すると、前記は吸着塔は、減圧された前記バッファタンクによって減圧されるとともに、前記真空ポンプは前記吸着塔の比較的高い圧力にさらされることなく、前記バッファタンクを減圧し続けることができる。そのため、前記吸着塔を、ある程度圧力の低下された状態から、直接真空減圧路に接続してさらに減圧できることになる。なお、開閉弁としては、減圧弁、遮断弁等の流路を開閉可能な弁であれば、任意のものが利用できる。
【００１６】
すなわち、前記バッファタンクを設けることにより、前記吸着塔の脱着工程を、前記減圧路から放圧する際に必要以上に時間をかけることなく、効率よく真空減圧路を介する減圧に切り替えられるようになり、真空ポンプに大きな負荷をかけることなく、自然放圧されただけである程度低い定圧状態にとどまっている吸着塔を、早期から減圧し始めることができ、効率よく吸着塔を最低圧状態にまで減圧することができる。これによりオフガスを十分量第二オフガスタンクに得ることができるとともに、前記吸着塔の再生をより一層十分に行えることになる。
【００１７】
したがって、吸着塔の再生が効率よくおこなわれるから、吸着対象成分の回収効率を高めることができ、オフガスを効率よく第一タンクおよび第二タンクに貯留できるようになる。そのため、貯留されたオフガスを効率よく燃焼装置に供給できるようになった。
【００１８】
〔構成２〕
また、前記減圧路で回収されるオフガスを、前記第一オフガスタンクをバイパスして燃焼装置に供給するバイパス路を設けてあってもよい。
【００１９】
〔作用効果２〕
前記減圧路で回収されるオフガスは、第一オフガスタンクに一旦貯留することができる。ここで、前記第一オフガスタンクの内圧がやや高めの低圧状態に達した時点で、第一オフガスタンクに供給されるオフガスが、第一オフガスタンクを通過できず前記減圧路から燃焼装置に供給されなくなる状態となる。この状態では、前記吸着塔の内圧は十分に低下しきっているとは言えない状態であるので、吸着塔をそのまま、真空減圧路に切替接続すると、前記バッファタンクに過剰のオフガスが急激に流れ込むため、真空ポンプの負荷が十分に軽減されないことになる。そのため、この負荷を十分に緩和するため、前記バッファタンクを比較的大容量に設定しておく必要がある。そこで、やや高めの低圧状態となっている吸着塔を、第一オフガスタンクを介さず排出可能にバイパスして燃焼装置に供給するように接続するバイパス路を設けることにより、第一オフガスタンクの内圧によらず、前記吸着塔の内圧を燃焼装置の内圧近傍のある程度低い低圧状態にまで低下可能に構成することができる。したがって、第一オフガスタンクにより、オフガスを貯留する機能を確保しながら、吸着塔の内圧を燃焼装置の内圧近傍のある程度低い低圧状態にまで低下させられるようになり、前記真空減圧路による減圧を大きなバッファタンクによることなくコンパクトな構成で行えるようになる。
【００２０】
〔構成３〕
上記圧力変動吸着式水素製造装置の運転方法としては、
前記各吸着塔において、吸着対象成分を吸着する吸着工程と、吸着対象成分を脱着して吸着塔を再生する脱着工程とを交互に行うにあたり、
前記脱着工程は、前記減圧路を介して前記吸着塔と前記第一オフガスタンクとの圧力差によりオフガスを前記第一オフガスタンクに回収する減圧工程と、前記真空減圧路の前記バッファタンクおよび前記真空ポンプを通じてオフガスを前記第二オフガスタンクに回収する真空減圧工程とを含むものとすることができる。
【００２１】
〔作用効果３〕
上記構成により、圧力変動吸着式水素製造装置は、吸着工程と脱着工程を交互に行い、前記脱着工程において減圧工程、真空減圧工程を行う運転ができる。
【００２２】
これにより、吸着塔の内圧が比較的高い脱着工程初期は、昇圧された吸着塔の内圧と、大気圧に近い第一オフガスタンクとの圧力差により、吸着塔内のガスをある程度低い低圧状態にまで排気し、その吸着塔を再生するとともに、オフガスを回収することができる。そして、吸着塔内の圧力がある程度下がり、圧力差による排気の効率が低下した段階で真空減圧工程を行って、その吸着塔を排気して最低圧状態にまで低下させて再生するとともに、第二オフガスタンクにオフガスを回収することができる。
【００２３】
前記吸着塔の運転状態を減圧工程から真空減圧工程に切り替える際に、減圧工程で前記吸着塔の内圧をより低い状態にまで排気するほど、圧力差による排気効率は低下する。そのため、前記吸着塔の内圧が真空ポンプの稼働可能な圧力範囲に入ったタイミングで減圧工程から真空減圧工程に切り替えることが好ましい。ここで、前記真空ポンプの上流側にはバッファタンクが設けられているから、前記真空ポンプは前記バッファタンク内をあらかじめ減圧しておく。これにより、吸着塔のやや高めの低圧状態の排気を受け入れる際、まず、バッファタンクに排気を受け入れると、真空ポンプに直接やや高めの低圧状態の圧力が作用するのを回避できるようになっている。そのため、前記真空ポンプは、前記吸着塔が十分減圧された状態でなくても作用させ始められるので、減圧工程から真空減圧工程に切り替える時期を早める事ができ、効率よく前記吸着塔の再生をできるようになる。
【００２４】
このようにして第一、第二オフガスタンクには効率よくオフガスが回収貯留されるので、回収されたオフガスを、安定して燃焼装置に供給できるようになる。
【００２５】
〔構成４〕
また、前記各吸着塔において、吸着対象成分を吸着する吸着工程と、吸着対象成分を脱着して吸着塔を再生する脱着工程とを交互に行うにあたり、
前記脱着工程は、前記減圧路を介して前記吸着塔と前記第一オフガスタンクとの圧力差によりオフガスを前記第一オフガスタンクに回収する第一減圧工程と、前記バイパス路を介して前記吸着塔と、前記燃焼装置との圧力差によりオフガスを直接燃焼装置に供給する第二減圧工程と、前記真空減圧路の前記バッファタンクおよび前記真空ポンプを通じてオフガスを前記第二オフガスタンクに回収する真空減圧工程とを含むものとすることができる。
【００２６】
〔作用効果４〕
前記脱着工程において、減圧工程、真空減圧工程を行うにあたって、前記減圧工程が第一、第二減圧工程を行う構成としてあれば、第一減圧工程から、真空減圧工程に切り替えるにあたり、吸着塔の内圧が比較的高い脱着工程初期は、昇圧された吸着塔の内圧と、大気圧に近い第一オフガスタンクとの圧力差により、吸着塔内のガスを排気することができる。その後、第一オフガスタンクの内圧がある程度上昇して、吸着塔と第一オフガスタンクとの圧力差が小さくなってしまった場合には、第二減圧工程として、バイパス路を介して前記吸着塔と、前記燃焼装置との圧力差によりオフガスを直接燃焼装置に供給することができる。そのため、第一均圧工程で十分量のオフガスを貯留した後、第一オフガスタンクの内圧が高くなって、吸着塔の再生効率が低下したときに、吸着塔の内圧がまだ真空減圧工程を行うのに十分低下していないような状態であっても、あらかじめ第二均圧工程を行い、吸着塔の内圧を低下した後、真空減圧工程を行えるようになる。
【００２７】
そのため、吸着塔内の圧力がより高圧で、排出されるオフガス量がより大量である場合であっても、安定して吸着塔の再生を効率よく行えるとともに、安定して燃焼装置にオフガスを供給できるようになった。
【００２８】
なお、本発明において「吸着工程と脱着工程とを交互に行う」という場合、吸着工程と脱着工程とが時期的に常に連続して交互に行われる場合に限らず、たとえば、いわゆる均圧工程、昇圧工程等、吸着工程と脱着工程とには含まれにくいほかの工程が介在している場合も「交互に行う」と考えるものとする。
【００２９】
また、吸着塔の再生が効率よく行われるようになると、吸着塔の運転条件を短サイクルで稼働できるようになり、タイムサイクルを効率化することにより吸着対象成分の回収率も向上させることが容易となる。
【００３０】
また、吸着塔は複数塔設ければよく、２塔以上であれば吸着工程と脱着工程とを交互に行うことにより安定してオフガスを燃焼装置に供給できるようになる。
【発明の効果】
【００３１】
したがって、燃焼装置に対してオフガスを安定供給しつつ、吸着対象成分の回収効率を高めることができる。
【図面の簡単な説明】
【００３２】
【図１】圧力変動吸着式水素製造装置の概略図
【図２】吸着塔の内圧の推移を示すグラフ
【図３】５塔構成の圧力変動吸着式水素製造装置の概略図
【発明を実施するための形態】
【００３３】
以下に、本発明のガス精製装置を説明する。なお、以下に好適な実施形態を記すが、これら実施形態はそれぞれ、本発明をより具体的に例示するために記載されたものであって、本発明の趣旨を逸脱しない範囲において種々変更が可能であり、本発明は、以下の記載に限定されるものではない。
【００３４】
〔ガス精製装置〕
ガス精製装置は、図１に示すように、吸着剤Ａ１１〜Ａ４１を充填した吸着塔Ａ１〜Ａ４を備える。各吸着塔Ａ１１〜Ａ４１には、天然ガスから水素ガスを製造する改質装置Ｒから供給される改質ガス（メタン含有水素ガス）を原料ガスとして供給する原料ガス供給路Ｌ１、吸着剤Ａ１１〜Ａ４１に吸着されなかった精製対象ガスとしての水素を製品ガスとして回収する製品ガス回収路Ｌ２および製品ガスタンクＴ２、吸着剤Ａ１１〜Ａ４１に吸着した雑ガスとしてのメタンを含むオフガスを脱着させて排気する減圧路としてのオフガス排出路Ｌ３が設けられる。本実施形態では、吸着塔Ａ１〜Ａ４の４塔を備える構成としたが、塔数は複数であれば限定されるものではなく、３塔、５塔その他、適宜必要に応じ選択することが可能である。
【００３５】
原料ガス供給路Ｌ１へのガス供給は、供給ポンプＰ１を用いて行い、吸着塔Ａ１〜Ａ４を昇圧する際の圧力を安定制御可能に構成してある。前記原料ガス供給路Ｌ１に供給された原料ガスは切換弁Ｖ１１〜Ｖ４１を備えた供給路Ｌ１１〜Ｌ４１を介して各吸着塔Ａ１〜Ａ４に供給される。
【００３６】
前記吸着塔Ａ１〜Ａ４から排出された製品ガスは、切換弁Ｖ１２〜Ｖ４２を備えた回収路Ｌ１２〜Ｌ４２を通じて製品ガス回収路Ｌ２に流入する。前記製品ガス回収路Ｌ２には、圧力制御弁Ｖｃ２が設けられている。前記圧力制御弁Ｖｃ２により、前記吸着塔Ａ１〜Ａ４から製品ガスタンクＴ２に回収される製品ガスの圧力を制御することにより、吸着塔Ａ１〜Ａ４における原料ガスの供給圧との関係から前記吸着塔Ａ１〜Ａ４からの製品ガス回収圧を制御可能に構成してある。
【００３７】
前記吸着塔Ａ１〜Ａ４で吸着された雑ガスは、減圧されることにより吸着剤Ａ１１〜Ａ４１から脱離し、切換弁Ｖ１３〜Ｖ４３を備えた排ガス路Ｌ１３〜Ｌ４３を通じて前記オフガス排出路Ｌ３から排出される。前記オフガス排出路Ｌ３は燃焼装置Ｂに接続されるとともに、第一オフガスタンクＴ３ａを備え前記吸着塔Ａ１〜Ａ４と第一オフガスタンクＴ３ａとの圧力差により前記吸着塔Ａ１〜Ａ４を減圧する減圧路Ｌ３ａと、前記第一オフガスタンクＴ３１をバイパスして前記吸着塔Ａ１〜Ａ４と前記燃焼装置Ｂとの圧力差によりオフガスを直接燃焼装置Ｂに供給するバイパス路Ｌ３ｂとを備える。前記減圧路Ｌ３ａおよびバイパス路Ｌ３ｂには、減圧弁Ｖ３ａ、Ｖ３ｂと流量調整弁Ｖｃ３ａ、Ｖｃ３ｂとが設けられ、燃焼装置Ｂに対してオフガスを安定的に供給可能に構成される。
【００３８】
また、前記吸着塔Ａ１〜Ａ４で吸着された雑ガスを前記減圧路Ｌ３ａおよびバイパス路Ｌ３ｂから排出してある程度低い低圧状態になった吸着塔Ａ１〜Ａ４からさらに吸着ガスを真空ポンプＰ４でさらに減圧吸引してオフガスを回収する真空減圧路Ｌ４を前記減圧路とは別に設けるとともに、前記真空減圧路Ｌ４に減圧弁Ｖ４ａおよび第二オフガスタンクＴ４ａを設けてある。また、前記減圧弁Ｖ４ａと真空ポンプＰ４ａとの間にバッファタンクＴ４ｂを設けてある。すなわち、各吸着塔Ａ１〜Ａ４と燃焼装置Ｂとを接続する真空減圧路Ｌ４に上流側（吸着塔Ａ１〜Ａ４側）から減圧弁Ｖ４ａ、バッファタンクＴ４ｂ、真空ポンプＰ４ａ、第二オフガスタンクＴ４ａを順に設け、真空ポンプＰ４ａの吸引力によりオフガスを第二オフガスタンクＴ４ａに回収するとともに、燃焼装置Ｂに供給自在に構成してある。
【００３９】
また、各吸着塔Ａ１〜Ａ４には均圧路Ｌ５が設けられ、各均圧（降圧）工程において吸着塔Ａ１〜Ａ４の上部から排出されるガスを各均圧（昇圧）工程の行われる吸着塔Ａ１〜Ａ４の上部に移送可能に構成してある。
【００４０】
また、各吸着塔Ａ１〜Ａ４には、吸着塔Ａ１〜Ａ４内部を昇圧用ガスとしての製品ガスを供給するための昇圧路Ｌ６が設けてある。すなわち、昇圧工程において、Ｔ２から供給される製品ガスは、昇圧路Ｌ６から切換弁Ｖ１６〜Ｖ４６を備える昇圧路Ｌ１６〜Ｌ４６を介して各吸着塔Ａ１〜Ａ４に流入する。この際、前記昇圧路Ｌ６には、開閉弁および圧力制御弁Ｖｃ６が設けられており、製品ガスタンクＴ２の保有圧に基づき吸着塔Ａ１〜Ａ４内に製品ガスを移流させて昇圧可能に構成してある。
【００４１】
また、ガス精製装置には、制御装置Ｃが設けられている。この制御装置Ｃは、前記吸着塔Ａ１〜Ａ４と、前記原料ガス供給路Ｌ１、前記製品ガス回収路Ｌ２、前記オフガス排出路Ｌ３、前記真空減圧路Ｌ４、前記均圧路Ｌ５、前記昇圧路Ｌ６の各配管Ｌ１１〜Ｌ４６に設けられた切換弁Ｖ１１〜Ｖ４６等を開閉制御する。これにより、Ｐ１、Ｐ４を用いて各吸着塔Ａ１〜Ａ４において各吸着工程を行う吸脱着制御装置Ｃとして働く。
【００４２】
なお、ここでは、前記吸着剤Ａ１１〜Ａ４１としては、改質ガス中のメタンを含む雑ガスを選択的に吸着できる吸着剤Ａ１１〜Ａ１４が好適に用いられる。このような吸着剤Ａ１１〜Ａ４１としては、活性炭、モレキュラーシーブカーボン、ゼオライト、多孔性の金属錯体から選ばれる少なくとも一種の材料を主成分とするものが用いられる。
【００４３】
なお、ここで用いる原料ガスとしての改質ガスは、主成分が水素、二酸化炭素およびメタンであり、水素を９９％以上含有する製品ガスを得るためのガス精製を行う。上記吸着剤を用いた場合、たとえば、水素７３％、メタン６％、一酸化炭素１％、二酸化炭素２０％を含む改質ガスを流量８０００Ｌ／ｍｉｎで供給したときに、純度９９．９９９％の水素ガスを流量５０００Ｌ／ｍｉｎで得られる程度のガス分離能力を有する。
【００４４】
〔吸着塔〕
吸着塔Ａ１〜Ａ４は、それぞれ、吸着剤Ａ１１〜Ａ４１を充填してなる。各吸着塔Ａ１〜Ａ４の下部には、改質装置Ｒから供給ポンプＰ１により改質ガスを供給する供給路Ｌ１１〜Ｌ４１を設けて原料ガス供給路Ｌ１を構成する。また、各吸着塔Ａ１〜Ａ４の上部に、吸着塔Ａ１〜Ａ４に供給された改質ガスのうち吸着剤Ａ１１〜Ａ４１に吸着されなかった精製対象ガスとしての水素を回収する回収路Ｌ１２〜Ｌ４２を設けて製品ガス回収路Ｌ２を構成してある。これにより、原料ガス供給路Ｌ１から吸着塔Ａ１〜Ａ４に改質ガスを供給するとともに、吸着剤Ａ１１〜Ａ１４に吸着されなかった水素を製品ガス回収路Ｌ２から排出することによって、吸着剤Ａ１１〜Ａ１４に雑ガスを吸着して水素と分離可能に構成してある。また、前記吸着塔Ａ１〜Ａ４には、吸着剤Ａ１１〜Ａ１４に吸着された雑ガスを排出する排ガス路Ｌ１３〜Ｌ４３を各吸着塔Ａ１〜Ａ４の下部に設けて前記オフガス排出路Ｌ３を構成してあり、原料ガス供給路Ｌ１から供給された改質ガスのうち吸着剤Ａ１１〜Ａ４１に吸着され、濃縮後の高濃度の純水素を取出し可能に構成する。
【００４５】
なお、各ガス路Ｌ１１〜Ｌ４６には、切換弁Ｖ１１〜４６を設けてあり、各ポンプＰ１、Ｐ４の動作により、各吸着塔Ａ１〜Ａ４へのガスの供給、排出、停止の切換を、制御装置Ｃから一括して制御可能に構成してある。
【００４６】
〔水素精製方法〕
前記制御装置Ｃは、表１下段に示すように、前記各切換弁Ｖ１１〜Ｖ４６および各ポンプＰ１、Ｐ４を制御して、表１上段にしたがって、各吸着塔Ａ１〜Ａ４で、
前記各吸着塔Ａ１〜Ａ４において、吸着対象成分を吸着する吸着工程と、吸着対象成分を脱着して吸着塔Ａ１〜Ａ４を再生する脱着工程とを交互に行い、脱着工程において回収したオフガスを燃焼装置Ｂに供給する。ここで、前記脱着工程は、前記減圧路Ｌ３ａを介して前記吸着塔Ａ１〜Ａ４と前記第一オフガスタンクＴ３ａとの圧力差によりオフガスを前記第一オフガスタンクＴ３ａに回収する第一減圧工程と、前記バイパス路Ｌ３ｂを介して前記吸着塔Ａ１〜Ａ４と前記燃焼装置との圧力差によりオフガスを直接燃焼装置に供給する第二減圧工程と、前記真空減圧路の前記バッファタンクおよび前記真空ポンプＰ４を通じてオフガスを前記第二オフガスタンクＴ４ａに回収する真空減圧工程とを含む。
【００４７】
【表１】
2017148715.tif 000003
【００４８】
この圧力揺動運転にあたり、具体的には表１上段に示すように、
吸着塔Ａ１〜Ａ４下部から供給ポンプＰ１にて昇圧済みの改質ガスを前記吸着剤Ａ１１〜Ａ４１に供給し、メタンを含む雑ガスを吸着するとともに、精製対象ガスとしての製品水素ガスを吸着塔Ａ１〜Ａ４上部から放出する前記吸着工程を行い、（たとえば吸着塔Ａ１におけるステップ１〜４、以下同様）
吸着工程の後、高圧状態の吸着塔Ａ１〜Ａ４内の、比較的雑ガス濃度の低いガスを、当該吸着塔Ａ１〜Ａ４より低圧の中間圧状態の他の吸着塔Ａ１〜Ａ４に移送して、吸着塔Ａ１〜Ａ４内の圧力を高圧側の中間圧状態とする初段均圧（降圧）工程（ステップ５、６）、
吸着塔Ａ１〜Ａ４の動作を行わない休止工程（ステップ７）、
低圧状態より高圧側の中間圧状態の吸着塔Ａ１〜Ａ４内の、初段均圧（降圧）工程に比べて雑ガス濃度のやや高められたガスを、低圧状態の他の吸着塔Ａ１〜Ａ４に移送して、吸着塔Ａ１〜Ａ４内の圧力を低圧側の中間圧状態とする最終均圧（降圧）工程（ステップ８）、
均圧（降圧）工程により塔内圧力が低下した後、さらに前記吸着塔と前記第一オフガスタンクとの圧力差により、前記吸着剤Ａ１１〜Ａ４１を低圧状態まで減圧して、前記吸着剤Ａ１１〜Ａ４１に吸着された雑ガスを、前記減圧路を介して脱着させて吸着塔Ａ１〜Ａ４下部から第一オフガスタンクに回収する第一減圧工程（ステップ９）、
さらに、前記バイパス路を介して前記吸着塔と前記燃焼装置との圧力差によりオフガスを直接燃焼装置に供給する第二減圧工程（ステップ１０）、
前記真空減圧路の前記バッファタンクおよび前記真空ポンプを通じてオフガスを前記第二オフガスタンクに回収する真空減圧工程（ステップ１１）
低圧状態の吸着塔Ａ１〜Ａ４内に、前記高圧側の中間圧状態の吸着塔Ａ１〜Ａ４内のガスを受け入れて、吸着塔Ａ１〜Ａ４内の圧力を低圧側の中間圧状態とする最終均圧（昇圧）工程と（ステップ１２）、
低圧側の中間圧状態の吸着塔Ａ１〜Ａ４内に、高圧状態の他の吸着塔Ａ１〜Ａ４内のガスを受け入れて、吸着塔Ａ１〜Ａ４内の圧力を高圧側の中間圧状態とする初段均圧（昇圧）工程（ステップ１３、１４）と、
初段均圧（昇圧）工程により塔内圧力を上昇した後、さらに、前記吸着塔Ａ１〜Ａ４内に吸着塔Ａ１〜Ａ４上部から製品ガスを供給して、前記吸着剤Ａ１１〜Ａ４１を雑ガスを選択的に吸着可能な高圧状態に復元する昇圧工程（ステップ１５）、
休止工程（ステップ１６）、
を順に行うように運転制御する。この際の他の塔の工程は、表１上段に対応し、その際各開閉弁等の動きについては表１下段のとおりである。
【００４９】
さらに具体的には、吸着塔Ａ１に対して以下のステップにしたがって制御する。他の吸着塔Ａ２〜Ａ４についても位相をずらせて同様の動作を行うことになるが、説明が重複するので表１および図２の説明をもって詳細な説明を省略する。また、以下の説明における＜番号＞は、表１におけるステップ番号を示している。また、下記に具体的に示す運転条件は例示であって、本発明は、下記具体例により限定されるものではない。
【００５０】
＜１〜４＞吸着工程
表１に示すように、吸着塔Ａ１に改質ガスを導入する。また、供給路Ｌ１１の切換弁Ｖ１１を介してメタンを含む雑ガスを前記吸着剤Ａ１１に吸着させつつ、水素を製品ガスタンクＴ２に回収する。
【００５１】
なお、この時、吸着塔Ａ２では、後述の初段均圧(昇圧)工程ののち、昇圧工程、休止工程と移行し、吸着塔内が吸着工程を行える準備段階を完了する。また、吸着塔Ａ３では、後述の第一減圧工程、第二減圧工程、真空減圧工程からなる脱着工程を行い、さらに、最終均圧(昇圧)工程を行い、次の吸着工程を行うための準備段階を開始している。また吸着塔Ａ４では、吸着塔Ａ２との初段均圧(降圧)工程ののち、休止工程を挟んで、最終均圧(降圧)工程が行われ、次の脱着工程の準備段階が行われている。
【００５２】
また、このときの製品ガス中の水素純度は吸着工程の時間設定等により設定することができ、９９．９９９％以上とすることができる。
８０００Ｌ／ｍｉｎで水素約７３％、メタン約６％、一酸化炭素１％、二酸化炭素２０％を含む改質ガスを処理したところ、
吸着工程を、供給圧を０．７５ＭＰａＧ程度として６０秒間行った場合、水素濃度９９．９９９％、圧力０．７０ＭＰａＧ程度の製品ガスを製品ガスタンクＴ２に回収することができた。
【００５３】
＜５、６＞初段均圧（降圧）工程
吸着工程を終えた吸着塔Ａ１では、最終均圧（昇圧）工程を終えた吸着塔Ａ３との間で初段均圧（降圧）工程を行う。すなわち、表１に示すように、均圧路Ｌ１５の切換弁Ｖ１５を介して、塔内の非吸着ガスを排出し、均圧路Ｌ３５の切換弁Ｖ３５を介して吸着塔Ａ３に移送する構成となっている。これにより吸着塔Ａ１は、図２に示すように、低圧側の中間圧状態の吸着塔Ａ３と圧力平衡が行われる。
【００５４】
なお、このとき、吸着塔Ａ２では吸着工程を行っており、吸着塔Ａ４では脱着工程の第一減圧工程、第二減圧工程を行っている。
【００５５】
また、この初段均圧（降圧）工程は、１５秒間行われ、約０．４５ＭＰａＧの高圧側の中間圧状態に移行する。
【００５６】
＜７＞休止工程
次に、吸着塔Ａ１は休止状態となり、高圧側の中間圧状態が維持される。
【００５７】
このとき、吸着塔Ａ２は吸着工程を行っており、また、吸着塔Ａ３は、昇圧工程に移行し、吸着塔Ａ４は真空減圧工程に移行する。
【００５８】
また、この待機工程は、約６０秒間行われ、上記高圧側の中間圧状態が維持される。
【００５９】
＜８＞最終均圧（降圧）工程
次に、表１に示すように、吸着塔Ａ１は、脱着工程を終え、初段均圧（昇圧）工程を行う吸着塔Ａ４との間で最終均圧（降圧）工程を行う。すなわち、均圧路Ｌ１５の切換弁Ｖ１５を介して、塔内の非吸着ガスおよび吸着剤Ａ１１から初期に脱着し始める雑ガスを排出し、均圧路Ｌ４５の切換弁Ｖ４５を介して吸着塔Ａ４に移送する構成となっている。これにより、吸着塔Ａ１は、脱着工程を終えて低圧状態の吸着塔Ａ４と圧力平衡が行われる。
【００６０】
なお、このとき、吸着塔Ａ２は吸着工程を行っており、吸着塔Ａ３は昇圧工程を行っている。
【００６１】
また、この最終均圧（降圧）工程は、約３０秒間行われ、吸着塔Ａ１の内圧は約０．１７ＭＰａＧの低圧側の中間圧状態に移行する。
【００６２】
＜９＞第一減圧工程
次に、吸着塔Ａ１は、吸着塔Ａ１を第一オフガスタンクＴ３ａを経由して燃焼装置Ｂに接続し、前記吸着塔の内圧を、第一オフガスタンクＴ３ａとの圧力差により減圧する第一減圧工程を行う。この時、吸着塔Ａ２、Ａ４は初段均圧（降圧）工程および初段均圧（昇圧）工程を行っており、吸着塔Ａ３は吸着工程を行っている。
【００６３】
この第一減圧工程は、７．５秒間行われ、吸着塔Ａ１の内圧は約０．０８ＭＰａＧのやや高めの低圧にまで移行する。
【００６４】
＜１０＞第二減圧工程
次に、吸着塔Ａ１は、吸着塔Ａ１を直接燃焼装置Ｂに接続して、前記吸着塔の内圧を、燃焼装置Ｂの内圧との圧力差により減圧する第二減圧工程を行う。このとき、吸着塔Ａ２、Ａ４は初段均圧（降圧）工程および初段均圧（昇圧）工程を継続しており、吸着塔Ａ３は吸着工程を継続している。
【００６５】
この第二減圧工程は、７．５秒間行われ、吸着塔Ａ１の内圧は約０．０４ＭＰａＧのある程度低い低圧にまで移行する。
【００６６】
＜１１＞真空減圧工程
ある程度低い定圧状態にまで減圧された吸着塔Ａ１は、バッファタンクＴ４ｂを介して、真空ポンプＰ４により減圧する真空減圧工程に移行する。これにより、吸着塔Ａ１の吸着剤Ａ１１は、吸着したメタンを含む雑ガスを、オフガスとして排出し、再生される。このとき吸着塔Ａ２は休止工程にあり、吸着塔Ａ３は吸着工程、吸着塔Ａ４は昇圧工程にある。
【００６７】
この真空減圧工程は、約６０秒間行われ、吸着塔Ａ１の内圧は約−０．０９ＭＰａＧの最低圧にまで移行する。
【００６８】
＜１２＞最終均圧(昇圧)工程
表１、図２に示すように、低圧状態となって、吸着したメタンを放出し、吸着剤Ａ１１を再生された吸着塔Ａ１では、吸着塔Ａ２との間で初段均圧（昇圧）工程を行うことにより、塔内の圧力を回復するとともに、吸着塔Ａ２における最終均圧（降圧）工程で排出された、吸着剤Ａ１１からの脱離ガスにより比較的メタンを含有しない排ガスを受け入れる。すなわち、均圧路Ｌ５において、均圧路Ｌ２５における切換弁Ｖ２５を介して高圧側の中間圧状態の吸着塔Ａ２から排出される塔内ガスを、均圧路Ｌ１５における切換弁Ｖ１５より受け入れる。これにより吸着塔Ａ１は、図２に示すように、最低圧状態から低圧側の中間圧状態にまで圧力を回復する。
【００６９】
なお、このとき吸着塔Ａ３では、吸着工程を継続しており、吸着塔Ａ４では休止工程を行っている。
【００７０】
この初段均圧（昇圧）工程は、約１５秒間行われ、吸着塔Ａ１は約０．１７ＭＰａＧの低圧側の中間圧状態まで圧力を回復する。
【００７１】
＜１３、１４＞初段均圧昇圧工程
低圧側の中間圧状態にまで圧力を回復した吸着塔Ａ１は、次に吸着工程を終えた直後で初段均圧（降圧）工程を行う吸着塔Ａ３との間で初段均圧（昇圧）工程を行うことにより、さらに塔内の圧力の回復を図る。すなわち、均圧路Ｌ１５〜Ｌ３５において、切換弁Ｖ１７、Ｖ３７を介して、高圧状態の吸着塔Ａ３から排出される塔内ガスを受け入れる。これにより吸着塔Ａ１は、図２に示すように、低圧側の中間圧状態から高圧側の中間圧状態にまで圧力を回復する。
【００７２】
なお、このとき吸着塔Ａ２では脱着工程の第一、第二減圧工程を行っており、吸着塔Ａ４では吸着工程を行っている。
【００７３】
この最終均圧（昇圧）工程は、約１５秒間行われ、吸着塔Ａ１内は、約０．４５ＭＰａＧにまで昇圧される。
【００７４】
＜１５＞昇圧工程
高圧側の中間圧状態にまで圧力を回復した吸着塔Ａ１では、塔内圧力を、吸着工程の行える高圧状態にまで昇圧する昇圧工程を行う。すなわち、製品ガスタンクＴ２から昇圧路Ｌ６を通じて吸着塔Ａ１に製品ガスを流入し、吸着塔Ａ１内を昇圧する。なお、このとき、吸着塔Ａ２は真空減圧工程、吸着塔Ａ３は休止工程、吸着塔Ａ４は吸着工程を行っている。
【００７５】
この昇圧工程は、約３０秒行われ、吸着塔Ａ１内は、約０．７５ＭＰａＧにまで昇圧される。
【００７６】
＜１６＞休止工程
高圧状態になった吸着塔Ａ１は吸着工程開始までのあいだ休止工程が行われる。このとき、吸着塔Ａ２、Ａ３では、最終均圧昇圧工程、最終均圧降圧工程が行われ、吸着塔Ａ４では吸着工程が行われる。
【００７７】
上記のとおり、吸着塔Ａ１〜Ａ４内が０．１７ＭＰａの状態で第一減圧工程（ステップ９）を開始するとともに、吸着塔Ａ１〜Ａ４内が０．０８ＭＰａの状態で第二減圧工程（ステップ１０）を行い、吸着塔Ａ１〜Ａ４内が０．０４ＭＰａの状態で、容量６００Ｌの吸着塔Ａ１〜Ａ４に対して、容量１０００Ｌのバッファタンク内をあらかじめ−０．０９ＭＰａの状態としておくことにより、効率よく真空減圧工程（ステップ１１）を開始することができる。
【００７８】
このような構成により、改質ガスとして、表２に示す組成の混合ガスを８０００Ｌ／ｍｉｎで、供給した場合に、製品ガスとして、純度９９．９９９％の水素ガスを回収率８５％で得ることができるとともに、表3に示す組成のオフガスを、３０００Ｌ／ｍｉｎで安定的に燃焼装置Ｂに供給することができることが分かった。すなわち、本発明によれば、燃焼装置Ｂに対してオフガスを安定供給しつつ、吸着対象成分の回収効率を高めることができる圧力変動吸着式水素製造装置およびその運転方法を提供することができることが分かった。
【００７９】
【表２】
2017148715.tif 000004
【００８０】
【表３】
2017148715.tif 000005
【００８１】
〔別実施形態〕
（１）
上記ガス精製装置には、圧力センサ、温度センサ等は適宜設けることができる。具体的には、通常、原料ガスの供給圧や、製品ガスのメタン濃度などをモニタする圧力センサやガスセンサを設けるのであるが、上述の実施形態においては詳細な説明を省略してあるものとする。
【００８２】
（２）
上記実施形態では４塔の吸着塔Ａ１〜Ａ４を備えたガス精製装置としたが、これに限らず２塔、３塔で交互に処理する方式のものであっても良く、複数塔備えて連続的な圧力変動吸着運転が行える構成であればよい。たとえば、５塔であれば、図３のように構成することができ、表４のような運転サイクルを採用することができる。
【００８３】
【表４】
2017148715.tif 000006
【００８４】
（３）
第二減圧工程は必ずしも必要ではなく、第一減圧工程により、大きく遅延することなく吸着塔Ａ１内の圧力が、真空脱着工程を行える程度にまで低下する場合には、省略することができる。
【符号の説明】
【００８５】
Ａ１〜Ａ４：吸着塔
Ａ１１〜Ａ４１
：吸着剤
Ｂ        ：燃焼装置
Ｃ        ：制御装置
Ｌ１      ：原料ガス供給路
Ｌ２      ：製品ガス回収路
Ｌ３      ：オフガス排出路
Ｌ３ａ    ：減圧路
Ｌ３ｂ    ：バイパス路
Ｌ４      ：真空減圧路
Ｌ５      ：均圧路
Ｌ６      ：昇圧路
Ｐ１      ：供給ポンプ
Ｐ４ａ    ：真空ポンプ
Ｒ        ：改質装置
Ｔ２      ：製品ガスタンク
Ｔ３ａ    ：第一オフガスタンク
Ｔ４ａ    ：第二オフガスタンク
Ｔ４ｂ    ：バッファタンク
Ｖ３ａ    ：減圧弁
Ｖ４ａ    ：減圧弁
Ｖｃ２    ：圧力制御弁
Ｖｃ３ａ  ：流量調整弁
Ｖｃ６    ：圧力制御弁
【図１】
2017148715.tif 000007
【図２】
2017148715.tif 000008
【図３】
2017148715.tif 000009